(57)【特許請求の範囲】
【請求項１】
引き戸に設けられた係止具とこの係止具を係止するための係止装置とにより通常時は開放状態で係止され、緊急時には前記係止装置内で前記係止具との係止が自動または手動で解除されて閉鎖する防災用引き戸あるいは通常時は閉鎖状態で係止され、緊急時には前記係止装置内で前記係止具との係止が自動または手動で解除されて開放する防災用引き戸において、前記係止装置内に更に係止復帰禁止手段が設けられ、緊急時に自動または手動で一旦係止解除が為された後は前記係止復帰禁止手段が動作して係止解除機能が維持され前記係止復帰禁止手段が解除されない限り係止機能が復帰出来ないことを特徴とする防災用引き戸の係止装置。
【請求項２】
引き戸に設けられた係止具とこの係止具を係止するための係止装置とにより通常時は開放状態で係止され、緊急時には前記係止装置内で前記係止具との係止が自動または手動で解除されて閉鎖する防災用引き戸あるいは通常時は閉鎖状態で係止され、緊急時には前記係止装置内で前記係止具との係止が自動または手動で解除されて開放する防災用引き戸に設けられた係止装置であって、電磁レリーズ函３と、前記電磁レリーズ函３内にＤＣソレノイド４、変換レバー２３、ロック用レバー２５、係止フック１４と、係止具１９及びレバーストッパ２０を有し、更に以下の構成要件を備えた防災用引き戸の係止装置。
(A)ＤＣソレノイド４のプランジャ５先端には前記変換レバー２３の下部が長穴を有して連結され、前記プランジャ５の移動と共に前記変換レバー２３も変位移動すること
(B)変換レバー２３はその上部が前記ロック用レバー２５Ａと共に軸２４に回転可能に軸支され、前記変換レバー２３が回転変位した時、前記ロックレバー２５Ａを押さえ込むことが出来るように曲げられた爪部を有すること
(C)ロック用レバー２５はロック用レバー２５Ａと２枚１組のロック用レバー２５Ｂとによって構成され共通連結部は回動自在に軸２６に軸支され、前記ロック用レバー２５Ｂの他方端には長穴が設けられて前記ロック用レバー２５が屈折可能に構成され、このロック用レバー２５は一直線より上には屈折しないようにロック用レバーストッパ２８が設けられ、前記ロック用レバー２５は前記軸２６の部分で下方向にのみ屈折可能に構成されていること、また外部から前記ロック用レバー２５Ｂに設けられた紐１８を引っ張ると前記ロック用レバー２５は容易に屈折すること
(D)係止フック１４は上部で軸２７により前記ロック用レバー２５Ｂの長穴に連結され、前記ロック用レバー２５が屈折する時、軸１２を中心に引っ張りバネ１３により強制的に反時計回りに回動して係止フック上牙部１４Ａが前記係止具１９からはずれること
(E)係止具１９は引き戸１に設けられ、引き戸１が移動して前記係止フック１４の下部に当接して更に進む時、この係止フック１４を時計回りに回動させると共に前記係止フック上牙部１４Ａが次第に前記係止具１９を捕捉していき、また同時に前記ロック用レバー２５が前記軸２７により屈折状態から一直線に次第に近づくように移動し前記ロックレバーストッパ２８に当接して一直線になって初めて前記係止フック１４の回動がロック停止され、前記係止フック上牙部１４Ａが前記係止具１９を咬止状に拘束すること
(F)レバーストッパ２０は前記ＤＣソレノイド４が働いて、前記プランジャ５が引っ込み、前記変換レバー２３が変位移動したとき前記変換レバー２３の最下端部に入り込むこと
(G)この係止装置内のＤＣソレノイド４が働くと、前記プランジャ５が引っ込み、前記変換レバー２３が回動してこの変換レバー２３の爪部が前記ロック用レバー２５を屈折させ、前記係止フック１４が回動して係止フック上牙部１４Ａは前記停止具１９を拘束解放し、自動的に前記レバーストッパ２０が前記変換レバー２３の最下端部に入り込んで前記変換レバー２３が変位したまま元に戻ることが出来ないため、引き戸１に設けられた前記係止具１９で前記係止フック１４を押しても前記変換レバー２３の爪部により前記ロックレバー２５が一直線になることが出来なくて係止解除機能が維持され、係止復帰禁止手段である前記レバーストッパ２０を元の位置に戻す操作が行なわれない限り係止機能が復帰出来ないこと
【発明の詳細な説明】
【０００１】
【産業上の利用分野】
本発明は係止装置により常閉あるいは常開係止され、緊急時には自動操作または手動操作により係止解除されて自開あるいは自閉する防災用引き戸における係止装置に関するものである。
【０００２】
【従来の技術】
引き戸を自動開閉させる場合の慣用技術としては電動によるもの、空圧によるもの、油圧によるもの、弾機によるもの、重錘によるもの等があり、これらは適材適所に適宜用いられている。防災用としてはパニックオープン、パニッククローズの２方式があり、自動開放と自動閉鎖とは互いに逆の関係であり、単に方向が異なるだけで用いる技術は同じであり、係止装置もまた通常時は引き戸を係止し、緊急時は自動あるいは手動で係止解除するという動作は同じであるためその装置の構成も同じものであって良いと考えられる。従って今後は一方のみ（自閉引き戸）で話しを進めてゆく。
【０００３】
現在、係止装置は種々考えられ、本発明者もまた特公平６−８４７０８号公報において遮煙機能を備えた自閉防火戸を発明し、係止装置として上記公報の第９図、第１０図を開示した。この係止装置は引き戸に設けられた係止具と引き戸の外に設けられた函体の中にソレノイド、プランジャ、縦・横レバー、軸、係止レバー、引っ張りきバネ、マイクロスイッチなどを用いて構成されたものであり、図３、図４は上記公報の図を裏返したものであるがその構成については全く同様のものであるため図３、図４で説明する。
【０００４】
まず構成を説明すると図３は係止後の正面図、図４は係止解除時の正面図である。係止装置２は電磁レリーズ函３内に煙、熱感知器などの各感知器と接続されるＤＣソレノイド４が固設されてあり、そのプランジャ５に枢着された縦レバー６は上部の引っ張りバネ７と下方の軸８によって係着され、縦レバー６の段部６Ａに掛止させる他の横レバー９は軸１０を支点として時計回り方向に引っ張りバネ１１により付勢され、その後端部は、軸１２を支点に反時計回り方向に引っ張りバネ１３によって付勢される係止フック１４と互いに縁部が接するように構成されている。またＬ型レバー１５は軸１６により回転可能に軸支され時計回りに引っ張りバネ１７に付勢され図４の二点鎖線で示した紐１８で外部から引っ張られるように構成されており紐１８を引っ張ることによりＬ型レバー１５が縦レバー６下部を押すことになりプランジャ操作と同様の作用が生じるよう構成されている。
【０００５】
次に係止動作を説明すると、図３において防火戸１を開いてゆくと防火戸１に設けられた係止具１９が電磁レリーズ函３内に侵入して係止フック１４の先端を押して行き、係止フック１４は先端が押し込まれると軸１２を軸に時計回りに回転し、引っ張りバネ１３の力に抗らいながら係止フック上牙部が係止具１９に咬止状に拘束される。その時、横レバー９の後端部は引っ張りバネ１１により時計回り方向に付勢されてなるため係止フック１４の縁部に押圧され、係止フック１４が軸１２を中心に時計回りに回転するにつれて軸１０を中心に時計回りにまわり、そのため横レバー９の先端部は引っ張りバネ７と後端部の動きにつれて縦レバー６を押すようにしてせりあがり、係止フック上牙部が係止具１９を咬止状に拘束すると共に段部６Ａに達し、横レバー先端部と縦レバー段部６Ａ、横レバー後端部とフック頂部が掛止されて係止装置による防火戸１の係止が完了する。
【０００６】
次に係止解除動作を説明すると、図４において火災により生じた煙などの感知器からの信号によってソレノイド４のプランジャー５が引っ込むと横レバー９の先端部は縦レバーの段部６Ａから外れる。すると引っ張りバネ１３は引っ張りバネ１１より引き力が大であるため、横レバー後端部とフック頂部との掛止は簡単にはずれ、係止フック１４は引っ張りバネ１３によって一気に引っ張りバネ１３方向（反時計回り）に回り、そのため横レバー９後端部が軸１０を支点として上昇し、反対に先端部は下降する。また、同時に係止フック１４の上牙部は反時計方向に傾動するため係止具１９は拘束を解除されて防火戸１は自閉手段により閉じてゆくことになる。また手動式操作では紐１８を手で引っ張ることによりＬ型レバー１５が反時計回りに動いて縦レバー６の後端部が押されプランジャー５が引っ込むのと同様の動作をおこなう。
【０００７】
【発明が解決しようとする課題】
しかしながらこの係止装置も単に防火戸が常時は開き放しあるいは、閉じ放しで緊急時にのみ用いるとなればこの従来の構成で良かったが、用途が変化し、多岐にわたるようになってくると例えばパニッククローズの場合で遮煙、防火のためには防火戸を閉鎖維持させなければならないが、そこが避難通路の一部に属していればその防火戸は避難のため開かなくてはならないという相反する機能を持たせなければならない場合が生じてきた。例えばエレベータ前に設置された防火用引き戸などである。従来は防火のための戸であったため防火戸と称したが以後は遮煙・防火のための戸を総称するため「防災用引き戸」のことを指すものとする。
【０００８】
従来の上記した係止装置の場合、煙感知器等に連動され、感知器等からの信号によりソレノイドが働いて自動的に自閉動作をおこなうが、その後人が避難するため再び引き戸を手動で開くと前述した係止手順で引き戸は係止されてしまい、閉じられるべきところが開放され放しになって本来の防災機能を果たさなくなるといった問題点が生じてきた。本発明はかかる問題点を解決することを目的として提供されたものである。
【０００９】
【課題を解決するための手段】
本発明者は煙感知器等からの信号によりソレノイドが働いて一度係止解除動作がおこなわれた係止装置は別の復帰操作をおこなうまで係止解除機能が維持される手段を工夫することによってこの問題点を解決した。
【００１０】
即ち、本発明は一つには引き戸に設けられた係止具とこの係止具を係止するための係止装置とにより通常時は開放状態で係止され、緊急時には前記係止装置内で前記係止具との係止が自動または手動で解除されて閉鎖する防災用引き戸あるいは通常時は閉鎖状態で係止され、緊急時には前記係止装置内で前記係止具との係止が自動または手動で解除されて開放する防災用引き戸において、前記係止装置内に更に係止復帰禁止手段が設けられ、緊急時に自動または手動で一旦係止解除が為された後は前記係止復帰禁止手段が動作して係止解除機能が維持され前記係止復帰禁止手段が解除されない限り係止機能が復帰出来ないことを特徴とする防災用引き戸の係止装置であり、また一つは引き戸に設けられた係止具とこの係止具を係止するための係止装置とにより通常時は開放状態で係止され、緊急時には前記係止装置内で前記係止具との係止が自動または手動で解除されて閉鎖する防災用引き戸あるいは通常時は閉鎖状態で係止され、緊急時には前記係止装置内で前記係止具との係止が自動または手動で解除されて開放する防災用引き戸に設けられた係止装置であって、電磁レリーズ函３と、前記電磁レリーズ函３内にＤＣソレノイド４、変換レバー２３、ロック用レバー２５、係止フック１４と、係止具１９及びレバーストッパ２０を有し、更に以下の構成要件を備えた防災用引き戸の係止装置である。
(A)ＤＣソレノイド４のプランジャ５先端には前記変換レバー２３の下部が長穴を有して連結され、前記プランジャ５の移動と共に前記変換レバー２３も変位移動すること
(B)変換レバー２３はその上部が前記ロック用レバー２５Ａと共に軸２４に回転可能に軸支され、前記変換レバー２３が回転変位した時、前記ロックレバー２５Ａを押さえ込むことが出来るように曲げられた爪部を有すること
(C)ロック用レバー２５はロック用レバー２５Ａと２枚１組のロック用レバー２５Ｂとによって構成され共通連結部は回動自在に軸２６に軸支され、前記ロック用レバー２５Ｂの他方端には長穴が設けられて前記ロック用レバー２５が屈折可能に構成され、このロック用レバー２５は一直線より上には屈折しないようにロック用レバーストッパ２８が設けられ、前記ロック用レバー２５は前記軸２６の部分で下方向にのみ屈折可能に構成されていること、また外部から前記ロック用レバー２５Ｂに設けられた紐１８を引っ張ると前記ロック用レバー２５は容易に屈折すること
(D)係止フック１４は上部で軸２７により前記ロック用レバー２５Ｂの長穴に連結され、前記ロック用レバー２５が屈折する時、軸１２を中心に引っ張りバネ１３により強制的に反時計回りに回動して係止フック上牙部１４Ａが前記係止具１９からはずれること
(E)係止具１９は引き戸１に設けられ、引き戸１が移動して前記係止フック１４の下部に当接して更に進む時、この係止フック１４を時計回りに回動させると共に前記係止フック上牙部１４Ａが次第に前記係止具１９を捕捉していき、また同時に前記ロック用レバー２５が前記軸２７により屈折状態から一直線に次第に近づくように移動し前記ロックレバーストッパ２８に当接して一直線になって初めて前記係止フック１４の回動がロック停止され、前記係止フック上牙部１４Ａが前記係止具１９を咬止状に拘束すること
(F)レバーストッパ２０は前記ＤＣソレノイド４が働いて、前記プランジャ５が引っ込み、前記変換レバー２３が変位移動したとき前記変換レバー２３の最下端部に入り込むこと
(G)この係止装置内のＤＣソレノイド４が働くと、前記プランジャ５が引っ込み、前記変換レバー２３が回動してこの変換レバー２３の爪部が前記ロック用レバー２５を屈折させ、前記係止フック１４が回動して係止フック上牙部１４Ａは前記停止具１９を拘束解放し、自動的に前記レバーストッパ２０が前記変換レバー２３の最下端部に入り込んで前記変換レバー２３が変位したまま元に戻ることが出来ないため、引き戸１に設けられた前記係止具１９で前記係止フック１４を押しても前記変換レバー２３の爪部により前記ロックレバー２５が一直線になることが出来なくて係止解除機能が維持され、係止復帰禁止手段である前記レバーストッパ２０を元の位置に戻す操作が行なわれない限り係止機能が復帰出来ないこと
【００１１】
従来技術で説明した図４を元に本発明を付加すると図５となる。これは図４における縦レバー６の下部を従来のものより長くした上で係止復帰禁止手段として縦レバー６の下端部に引っ張りバネ３２により反時計回りに付勢された縦レバーストッパ２０を、軸２１を中心として転動自在に軸支させて設けたこととＬ型レバー１５の回転範囲を規制するためにストッパ３５を設けたことである。
【００１２】
この係止復帰禁止手段は一旦プランジャー５が引っ込められたらそれに伴って縦レバー６の下端部も移動するが、移動後はその位置に付勢されたレバーストッパ２０が入り込むため縦レバー６の下端部は元の位置まで復帰出来ず、そのため横レバー先端部は縦レバー段部６Ａに引掛かる事が出来ないため図４のような横レバー９、係止フック１４の状態が維持され、いくら係止具１９が入り込んできても係止されることがなくなる。
【００１３】
ただし手動の場合はＬ型レバー１５の回転範囲を規制するためにストッパ３５を設けたことでその様相は異なる。すなわち例えばストッパ３５の位置を紐１８を引っ張った際に横レバー先端部が縦レバー段部６Ａからはずれることが出来るがレバーストッパ２０が縦レバー６の下端部に入り込むことが出来ないように位置決めしてやれば手動でいくら操作しても係止具１９は手動操作時に一旦係止解除されるが次に再度係止具１９が電磁レリーズ函３内に侵入してくれば係止具１９は係止される。
【００１４】
またストッパ３５の位置を紐１８を引っ張った際に横レバー先端部が縦レバー段部６Ａからはずれることが出来、しかもレバーストッパ２０が縦レバー６の下端部に入り込むことが出来るように位置決めするかまたはストッパ３５を取り除くかすれば前述したようにいくら係止具１９が入り込んできても係止具１９は係止されることがなくなる。
【００１５】
これらの機能は係止装置の取付位置に応じて使い分けることが出来、例えば本発明の係止装置を引き戸外部で見える位置に取付する場合は手動操作で紐１８を引っ張っても係止復帰出来ない構成にする方が好ましく、一方、袋戸内部のように見えない位置に設置する場合には係止装置内の手動操作で紐１８を引っ張れば係止復帰出来る方がよい。その理由は後者の場合手動操作を使用するのは取付時に電気配線がまだ為されてない場合に係止解除出来るかどうかを確認するためだけの使用であり、その際前者のものを使用すると紐２２を引っ張って復帰操作をしてから係止解除テストをするということになって作業工程が一つ増え、数多くを設置する場合にはかえって非効率となるためである。
【００１６】
いずれの場合においてもレバーストッパ２０を操作し、防災用引き戸を押し込める動作を実施すれば縦レバー６が元の位置まで戻ることが出来て防災用引き戸の係止機能を復帰させることが出来ることになる。またここでは付勢具として引っ張りバネを多く用いたがキックバネを用いても良い。また、プランジャ５から係止レバー１４に至るまでのレバーの組合わせ構成は前記した構成にこだわらないし、係止復帰禁止手段は別の構成のもの、別の方法を用いても良い。
【００１７】
【作用】
防火戸１は異常信号受信により一旦ＤＣソレノイド４が働いてプランジャ５が引っ込み、縦レバー６は軸８を中心に反時計回りに回動し、縦レバー６の下端部に係止復帰禁止手段である縦レバーストッパ２０が反時計回りに動いて入り込み縦レバー６は元の位置まで戻れなくなる。そのため再び防火戸１が開かれて係止具１９が係止フック１４の先端を押して係止フック１４が回転し、フック上牙部が係止具１９に咬止状に拘束されても、横レバー９の先端部は縦レバーの段部６Ａも元の位置に戻れないため引っ掛って先端ロック出来ず、引っ張りバネ１３の力によって係止フック１４は係止解除方向に回動してしまう。そのため防火戸１は決して係止されることがない。また、手動操作で紐１８を引っ張るとＬ型レバー１５により横レバー先端部が縦レバー段部６Ａからはずされた後レバーストッパ２０が縦レバー６の下端部に入り込むため縦レバー６は元の位置まで戻れなくなり、いくら係止具１９が入り込んできても係止具１９は係止されることがない。このことから例えばエレベータ前の防煙引き戸などに本発明品を用いると、人がいくら広く開いて脱出しても防煙用として引き戸は確実に閉じることになる。
一方、もう１つのものは異常信号受信により自動係止解除される場合は前述したものと同様レバーストッパ２０が縦レバー６の下端部に入り込んで縦レバー６は元の位置に戻ることは出来ないが、手動操作で紐１８を引っ張るとＬ型レバー１５により横レバー先端部が縦レバー段部６Ａからはずされるが、移動量が少ないためレバーストッパ２０が縦レバー６の下端部に入り込むことが出来なく縦レバー６は元の位置に容易に戻ることが出来、そのため再度係止具１９が電磁レリーズ函３内に入り込んで来ると係止具１９は容易に係止される。
【００１８】
【実施例】
以下、本発明の実施例を図に基づいて説明する。まず、図１、図２でその全体構成を説明すると図１は引き戸係止後の係止装置の正面図、図２はソレノイドから係止フックまでの連結状況の３次元図である。係止装置２は電磁レリーズ函３内に煙や熱感知器などの各感知器と接続されるＤＣソレノイド４が固設されてあり、そのプランジャ５には連結部が長穴加工されてプランジャ５に枢着され、途中曲げ加工された上、更にロックレバーＡ２５Ａが押さえられるように曲げられた爪部を有する変換レバー２３が上部の軸２４に回転可能に軸支され、軸２４を中心にプランジャ５との枢着部が反時計回りに付勢されるようキックバネ３３が設けられ、軸２４にはもう一つのロック用レバーＡ２５Ａが回転可能に軸支され、他方端は２枚１組のロック用レバーＢ２５Ｂがロック用レバーＡ２５Ａを挟み込みその共通部分は回動自在に軸２６で連接され、ロック用レバーＢ２５Ｂの他方端は長穴が設けられて係止フック１４の上部で係止フック１４に設けられた軸２７により揺動自在に連結されてなる。またロック用レバーＡ２５Ａとロック用レバーＢ２５Ｂとにより屈折可能なロック用レバー２５が構成され、ロック用レバー２５が一直線上より上には屈折出来ないようロックレバーストッパ２８が設けられている。
【００１９】
また、ロック用レバーＢ２５Ｂの中途にはリミットスイッチタッチ用の軸ピン２９が設けられ、この軸ピン２９とバネ固定軸３０との間に引っ張りバネ１１が設けられて吊り上げられている。またこの軸ピン２９はロック用レバー２５が一直線上になった時リミットスイッチ３１を押し、屈折するとリミットスイッチ３１がはずれるようにリミットスイッチ３１は取付けされる。また更に軸ピン２９には電磁レリーズ函３の外部から引き出された手動操作用の紐１８が連結されている。
【００２０】
一方係止フック１４は軸１２により回転可能に軸支され、引っ張りバネ１１より引き力の強い引っ張りバネ１３により反時計回りに付勢され、係止フック上牙部１４Ａに防火戸１の係止具１９が咬止状に拘束された時，ロックレバー２５はロックレバーストッパ２８に当接して一直線となってロックされるように構成されてなる。
【００２１】
続いて更に係止復帰禁止手段として変換レバー２３の最下端部にはキックバネ３４で時計回りに付勢されたレバーストッパ２０が軸２１に回動自在に軸支され、その端部にはストップ解除のための紐２２が電磁レリーズ函３の外部へ導き出されている。
【００２２】
自動操作の場合プランジャ５が引っ込めばレバーストッパ２０が自動的に変換レバー２３の最下端部に入り込むが、手動操作でレバーストッパ２０を変換レバー２３の最下端部に入り込ませるか否かの構成の違いは変換レバー２３の途中にある曲げ加工された部分の位置にある。即ち、紐１８が引っ張られてロックレバー２５が屈折した際、屈折したロックレバーが変換レバーの曲げ加工部に接触しない場合には手動操作時にレバーストッパ２０は変換レバー２３の最下端部に入り込まなく、屈折したロックレバーが変換レバー２３の曲げ加工部に接触してプランジャ５を引っ込ませる場合には手動操作時にレバーストッパ２０は変換レバー２３の最下端部に入り込んで係止具１９が係止復帰出来ない構成となる。変換レバー２３を一つのもので製作するためには、屈折したロックレバーが変換レバー２３の曲げ加工部に接触しない方の変換レバーを製作し、他方に変更するためには曲げ加工部に接触ブロック（図示せず）を取付出来るようにすればよい。またこの事例においてはレバーストッパ２０は変換レバー２３の最下端部に入り込ませる方法をとったがプランジャ先端部に入り込ませる構造をとっても良い。
【００２３】
次に動作を説明する。まず係止動作を説明すると、防火戸１を開いてゆくと防火戸１に設けられた係止具１９が電磁レリーズ函３内に侵入して係止フック１４の先端部を押してゆき、係止フック１４は先端が押し込まれると軸１２を中心として時計回りに回動し、引っ張りバネ１３の力に抗らいながらフック上牙部１４Ａが係止具１９を咬止状に拘束してゆく。当初ロック用レバー２５はロック用レバーＡ２５Ａとロック用レバーＢ２５Ｂとが軸２６部で屈折しているが、係止フック１４の先端が押し込まれ、軸１２を中心として時計回りに回転してゆくとそれに伴って屈折部は次第に直線状になり、フック上牙部１４Ａが係止具１９を咬止状に拘束し終える時、丁度ロック用レバー２５はロックレバーストッパ２８に当接して直線状になり、係止フック１４はロックされることになり、係止動作が完了する。
【００２４】
次に災害発生時の動作を説明すると、災害が発生すると煙や熱感知器などの各感知器から信号が発され、係止装置２内のＤＣソレノイド４が動作してプランジャ５が引っ張られる。すると、プランジャ５先端に枢着された変換レバー２３が軸２４を中心に時計回りに回動し、それに伴って変換レバー２３に設けられた爪部がロック用レバーＡ２５Ａを押さえ、そのためロック用レバー２５は軸２６部で屈折してロック用レバーＡ２５Ａとロック用レバーＢ２５Ｂとでくの字をつくる。ロック用レバー２５が少しでも屈折すると、係止フック１４に設けられ、引っ張りバネ１１より引き力の強い引っ張りバネ１３により反時計回りに係止フック１４が回動されて係止具１９を押し出し、同時に係止フック上牙部１４Ａは口を開くようにして咬止状態を解除し、係止具１９ははずれて防火戸１は自閉して行く。
【００２５】
一方、ＤＣソレノイド４が動作してプランジャー５が引っ張られ、変換レバー２３最下端部が変位すると、キックバネ３４で時計回りに付勢されたレバーストッパ２０が変換レバー２３最下端部の従来位置に入り込む。そのためプランジャ５も変換レバー２３も決して元の位置に戻ることが出来ず、ロック用レバー２５も変換レバー２３に設けられた爪部のため屈折状態が維持されてロックストップすることが出来なく、そのために今度はいくら防火戸１に設けられた係止具１９が係止フック１４の先端を押してきても係止フック１４はロックされず、防火戸１は再び閉まって行くことになる。
【００２６】
防火戸１を係止可能状態に戻すには、電磁レリーズ函３から外部へ導き出されているレバーストッパ２０の端部に設けられたストップ解除のための紐２２を引っ張った後、防火戸１を閉じて係止具１９を係止フック１４に引っ掛ければ良い。紐２２を引っ張ることによりレバーストッパ２０は軸２１を軸に回動され、軸２４を中心にして変換レバー２３とプランジャー５との枢着部が反時計回りに付勢されるよう設けられたキックバネ３３により変換レバー２３の爪部が元位置に戻り、上記した係止動作が可能になる。
【００２７】
手動時の動作は前述した通り、紐１８が引っ張られてロックレバー２５が屈折した際、屈折したロックレバーが変換レバーの曲げ加工部に接触しない場合には変換レバー２３は動作せず、そのためレバーストッパ２０も動作しないため一旦係止解除されるし再度係止具が侵入してくると再度防火戸は係止される。また、紐１８が引っ張られてロックレバー２５が屈折した際、屈折したロックレバーが変換レバーの曲げ加工部に接触してプランジャ５を押し込む場合にはレバーストッパ２０が変換レバー２３最下端部の従来位置に入り込み、プランジャ５も変換レバー２３も元の位置に戻ることが出来ず、ロック用レバー２５も変換レバー２３に設けられた爪部のため屈折状態が維持されてロックストップすることが出来なく、そのために今度はいくら防火戸１に設けられた係止具１９が係止フック１４の先端を押してきても係止フック１４はロックされず、防火戸１は再び閉まって行くことになる。
【００２８】
【発明の効果】
本発明の係止装置は例えばエレベータ前に設置された防災用引き戸のように緊急信号により引き戸が自動閉鎖されても、中に乗っていた人が逃げ出すため引き戸を開けて外に飛び出し、勢い余って再度係止装置に当接した場合でも係止復帰禁止手段が設けられてなるため引き戸は再び自動的に閉鎖され、緊急脱出、防災の両面が有効に働くことになる。また、この係止装置は復帰禁止手段の解除操作をしないと係止復帰出来ないため防災上極めて安全である。
【図面の簡単な説明】
【図１】本発明実施例の正面図
【図２】実施例のうちソレノイドから係止フックまでの連結状況３次元図
【図３】防火戸係止装置の係止後の正面図
【図４】防火戸係止装置の係止解除時の正面図
【図５】図４に係止復帰禁止手段を設けた係止装置の説明図
【符号の説明】
１              防火戸
２              係止装置
３              電磁レリーズ函
４              ＤＣソレノイド
５              プランジャ
６              縦レバー
６Ａ            段部
９              横レバー
１３            引っ張りバネ
１４            係止フック
１４Ａ          係止フック上牙部
１５            Ｌ型レバー
１８．          紐
１９            係止具
２０            レバーストッパ
２２            紐
２３            変換レバー
２５Ａ          ロック用レバーＡ
２５Ｂ          ロック用レバーＢ
２５            ロック用レバー
２８            ロックレバーストッパ
３０            バネ固定軸
３１            リミットスイッチ
【図１】
0004020292.tif 000002
【図２】
0004020292.tif 000003
【図３】
0004020292.tif 000004
【図４】
0004020292.tif 000005
【図５】
0004020292.tif 000006